【手続補正書】
【提出日】平成17年11月25日(2005.11.25)
【手続補正１】
【補正対象書類名】明細書
【補正対象項目名】特許請求の範囲
【補正方法】変更
【補正の内容】
【特許請求の範囲】
【請求項１】
中心導体及び外部導体を有する同軸ケーブルを相互接続するケーブルコネクタであって、
互いに嵌合可能であり、前記同軸ケーブルを受容するよう構成され、それぞれ第１及び第２収容室を有する第１及び第２絶縁ハウジングと、
前記同軸ケーブルの中心導体にしっかりと取り付けられるよう構成され、それぞれ前記第１及び第２収容室に挿入される第１及び第２中心コンタクトであって、該第１及び第２中心コンタクトの少なくとも一方が平坦本体部を有する第１及び第２中心コンタクトと、
前記同軸ケーブルの前記外部導体にしっかりと取り付けられるよう構成され、前記第１及び第２絶縁ハウジングにそれぞれ固定される少なくとも１枚の平坦壁を有する第１及び第２外部接地コンタクトとを具備し、
該第１及び第２外部接地コンタクトの前記平坦壁は、前記平坦本体部の両側に該平坦本体部と平行に配置されることを特徴とするケーブルコネクタ。
【請求項２】
前記第１及び第２絶縁ハウジングは、矩形状に形成された平坦な周囲壁を有し、
前記第１及び第２外部接地コンタクトの前記平坦壁は、前記平坦な周囲壁に当接することを特徴とする請求項１記載のケーブルコネクタ。
【請求項３】
前記第１及び第２外部接地コンタクトの各々は、矩形Ｕ形状に形成され、
前記平坦な壁は、前記第１及び第２絶縁ハウジングの対向する側壁に沿って挿入されることを特徴とする請求項１記載のケーブルコネクタ。
【請求項４】
前記第１及び第２外部接地コンタクトの少なくとも一方に接続された少なくとも１個の同軸ケーブル圧接コンタクトをさらに具備し、
該同軸ケーブル圧接コンタクトは、前記同軸ケーブルの前記外部導体を突き刺し且つ電気的に係合するよう構成されていることを特徴とする請求項１記載のケーブルコネクタ。
【請求項５】
前記第１及び第２中心コンタクトの少なくとも一方は、前記平坦本体部を有するブレードコンタクトからなり、
該ブレードコンタクトは、前記平坦壁間に配置され且つ前記平坦壁と平行に配列されたコンタクト平面を画定することを特徴とする請求項１記載のケーブルコネクタ。
【請求項６】
中心導体及び外部導体を有する同軸ケーブルを受容するコネクタハウジングと、
各々が前記同軸ケーブルの前記外部導体に接続可能な１対の接地コンタクトと、
前記同軸ケーブルの前記中心導体に接続可能な中心コンタクトとを具備し、
前記コネクタハウジングは、前記中心コンタクト及び前記１対の接地コンタクトを互いに平行な平面内に維持し、
前記中心コンタクトは、前記１対の接地コンタクト間にストリップライン構造に配置されていることを特徴とする同軸ケーブルコネクタ。
【請求項７】
前記コネクタハウジングは、前記中心コンタクトを受容するスロットと、前記接地コンタクトを受容する平坦な外面とを有し、
前記スロット及び前記平坦な外面は、互いに平行に形成され、
前記コネクタハウジングは、前記中心コンタクト及び前記接地コンタクトを所定距離で分離する誘電層を形成することを特徴とする請求項６記載の同軸ケーブルコネクタ。
【請求項８】
前記１対の接地コンタクトは、互いに結合してＵ形状矩形シェルを構成し、前記中心コンタクトを取り囲むことを特徴とする請求項６記載の同軸ケーブルコネクタ。
【請求項９】
１対の同軸ケーブルに接続可能な両端を有するハウジングと、
平坦な本体を有し、前記１対の同軸ケーブル内の導体に接続される中心コンタクトと、
前記１対の同軸ケーブル内の接地導体に接続される接地コンタクトとを具備し、
前記中心コンタクト及び前記接地コンタクトは、前記ハウジングに保持され、且つ互いに平行に配列されていることを特徴とする同軸ケーブルコネクタ。
【請求項１０】
前記接地コンタクトは、前記中心コンタクトの前記平坦な本体の両側に配置された平坦な本体を有し、
前記接地コンタクトの前記平坦な本体は、前記中心コンタクトの前記平坦な本体と平行に配置されていることを特徴とする請求項９記載の同軸ケーブルコネクタ。
【請求項１１】
前記１対の同軸ケーブルは、前記ハウジングの前記両端近傍に、円周方向に対称の電場分布を形成し、
前記中心コンタクト及び前記接地コンタクトは、前記ハウジングの周囲に非対称の電場分布を形成し、
該非対称の電場分布は、前記平坦な本体の両面から外方に延びる主領域に密度が集中する電気力線を有することを特徴とする請求項９記載の同軸ケーブルコネクタ。
【請求項１２】
前記接地コンタクト及び前記中心コンタクトは、第１及び第２領域に集中する電場分布を形成するストリップライン構造を画定し、
前記第１領域は、前記第２領域よりも密度の大きな電気力線が集中することを特徴とする請求項９記載の同軸ケーブルコネクタ。
【請求項１３】
互いに嵌合可能なコンタクトシェルであって、該コンタクトシェルの縦軸に沿ってシールド室を画定するコンタクトシェルを具備する同軸ケーブルコネクタ用接地シールドにおいて、
前記コンタクトシェルは、互いに結合する際に、前記シールド室の全周を取り囲む壁を有し、
少なくとも一方の前記コンタクトシェルは、前記シールド室の対向する両端に位置する開放端及びケーブル保持端を有し、
該ケーブル保持端は、同軸ケーブルを受容し且つ該同軸ケーブルに接続されるよう構成され、
前記少なくとも一方のコンタクトシェルは、前記開放端から前記ケーブル保持端まで延びる少なくとも一つの壁と、前記開放端から前記コンタクト保持端まで延びる少なくとも一つの開放面とを有し、
該少なくとも一つの開放面は、前記コンタクトシェルが互いに結合する際に、前記壁の一つによりシールドされることを特徴とする同軸ケーブルコネクタ用接地シールド。
【請求項１４】
前記コンタクトシェルの各々は、開放面を有するＵ形状に形成された側壁及び連結壁と有し、
前記コンタクトシェルは、前記Ｕ形状が互いに対面し前記側壁が互いに重なり合って結合されることを特徴とする請求項１３記載の同軸ケーブルコネクタ用接地シールド。
【請求項１５】
前記少なくとも一方のコンタクトシェルは、前記ケーブル保持端に設けられた同軸ケーブル圧接部材を有し、
該同軸ケーブル圧接部材は、前記少なくとも一つの壁の前記ケーブル保持端に対して横断する方向に延びると共に該ケーブル保持端に交差する平面に沿って、前記同軸ケーブルの導体と係合することを特徴とする請求項１３記載の同軸ケーブルコネクタ用接地シールド。
【請求項１６】
同軸ケーブルに接続可能な第１端を有するハウジングと、
前記同軸ケーブル内の導体に接続される中心コンタクトと、
前記同軸ケーブル内の接地導体に接続される接地コンタクトとを具備する同軸ケーブルコネクタにおいて、
前記同軸ケーブルは、前記ハウジングの前記第１端近傍に、円周方向に対称の電場分布を形成し、
前記中心コンタクト及び前記接地コンタクトは、前記ハウジングの周囲に非対称の電場分布を形成し、
該非対称の電場分布は、前記中心コンタクトの対向両面から外方に延びる主領域に密度が集中する電気力線を有することを特徴とする同軸ケーブルコネクタ。
【請求項１７】
前記接地コンタクト及び前記中心コンタクトは、第１及び第２領域に集中する電場分布を形成するストリップライン構造を画定し、
前記第１領域は、前記第２領域よりも密度の大きな電気力線が集中することを特徴とする請求項１６記載の同軸ケーブルコネクタ。
【請求項１８】
前記接地コンタクト及び前記中心コンタクトは、前記中心コンタクトの両縁近傍には密度の小さい電気力線の領域が配置された非対称の電場分布を形成することを特徴とする請求項１６記載の同軸ケーブルコネクタ。